(57)【要約】【課題】不快グレアの抑制を図る。【解決手段】配光制御板２０は、板状の本体部２１と、本体部２１の第１面に設けられる複数のプリズム２２とを有する。複数のプリズム２２の各々は、第１プリズム平面２２１及び第２プリズム平面２２２を含む複数のプリズム平面を有する。第１プリズム平面２２１は、本体部２１の第１面から突き出る錐台面を構成する。第２プリズム平面２２２は、第１プリズム平面２２１の先端から突き出る錐台面又は錐体面を構成する。本体部２１の第１面に対する第１プリズム平面２２１の傾斜角度θ１は、本体部２１の第１面に対する第２プリズム平面２２２の傾斜角度θ２と異なる。本体部２１の第１面と反対側の本体部２１の第２面は、複数のＬＥＤ３０と対向する。【選択図】        図７
2019160520.tif 000002
【特許請求の範囲】
【請求項１】
基板及び前記基板の表面に実装される複数のＬＥＤを有するＬＥＤモジュールと、
前記複数のＬＥＤから放射される光の配光を制御する配光制御板と
を備え、
前記配光制御板は、
板状の本体部と、
前記本体部の第１面に設けられる複数のプリズムと
を有し、
前記複数のプリズムの各々は、第１プリズム平面及び第２プリズム平面を含む複数のプリズム平面を有し、
前記第１プリズム平面は、前記本体部の前記第１面から突き出る錐台面を構成し、
前記第２プリズム平面は、前記第１プリズム平面の先端から突き出る錐台面又は錐体面を構成し、
前記本体部の前記第１面に対する前記第１プリズム平面の傾斜角度は、前記本体部の前記第１面に対する前記第２プリズム平面の傾斜角度と異なり、
前記本体部の第１面と反対側の前記本体部の第２面は、前記複数のＬＥＤと対向する、
照明器具。
【請求項２】
前記本体部の前記第２面は、滑らかな面である、
請求項１記載の照明器具。
【請求項３】
前記基板の表面と対向する第１面に前記複数のＬＥＤから放射される光が入射し、前記第１面から入射する光を拡散させて前記第１面と反対側の第２面から出射させる拡散板を備え、
前記配光制御板の前記第２面は前記拡散板の前記第２面と対向する、
請求項１又は２記載の照明器具。
【請求項４】
前記拡散板の前記第２面と前記配光制御板の前記第２面との間に、前記本体部の屈折率よりも屈折率の小さい物質が存在する、
請求項３記載の照明器具。
【請求項５】
前記屈折率の小さい物質は空気である、
請求項４記載の照明器具。
【請求項６】
前記第１プリズム平面の傾斜角度は、前記第２プリズム平面の傾斜角度よりも大きい、
請求項１〜５のいずれか１項に記載の照明器具。
【発明の詳細な説明】
【技術分野】
【０００１】
本発明は、照明器具に関し、より詳細には、発光ダイオードを光源とする照明器具に関する。
【背景技術】
【０００２】
従来例として特許文献１記載の照明器具を例示する。特許文献１記載の照明器具は、ＬＥＤ（Light Emitting Diode）チップと、上面に複数本のプリズムが形成され、前記上面に前記ＬＥＤチップから出射された光の一部が照射されるプリズム板と、を備える。
【先行技術文献】
【特許文献】
【０００３】
【特許文献１】国際公開第２０１３／０４６３０７号明細書
【発明の概要】
【発明が解決しようとする課題】
【０００４】
特許文献１記載の照明器具では、プリズム板の入射面（ＬＥＤチップから放射される光が入射する面）に複数本のプリズムが形成されており、各プリズムとＬＥＤチップとの位置関係がずれてしまうと不快グレアの抑制を図ることができない。
【０００５】
本発明の目的は、不快グレアの抑制を図ることができる照明器具を提供することである。
【課題を解決するための手段】
【０００６】
本発明の一態様に係る照明器具は、基板及び前記基板の表面に実装される複数のＬＥＤを有するＬＥＤモジュールと、前記複数のＬＥＤから放射される光の配光を制御する配光制御板とを備える。前記配光制御板は、板状の本体部と、前記本体部の第１面に設けられる複数のプリズムとを有する。前記複数のプリズムの各々は、第１プリズム平面及び第２プリズム平面を含む複数のプリズム平面を有する。前記第１プリズム平面は、前記本体部の前記第１面から突き出る錐台面を構成する。前記第２プリズム平面は、前記第１プリズム平面の先端から突き出る錐台面又は錐体面を構成する。前記本体部の前記第１面に対する前記第１プリズム平面の傾斜角度は、前記本体部の前記第１面に対する前記第２プリズム平面の傾斜角度と異なる。前記本体部の第１面と反対側の前記本体部の第２面は、前記複数のＬＥＤと対向する。
【発明の効果】
【０００７】
本発明の照明器具は、不快グレアの抑制を図ることができるという効果がある。
【図面の簡単な説明】
【０００８】
【図１】図１は、本発明の一実施形態に係る照明器具の斜視図である。
【図２】図２は、同上の照明器具の分解斜視図である。
【図３】図３は、同上の照明器具における光源ユニットの斜め下から見た分解斜視図である。
【図４】図４は、同上の照明器具における光源ユニットの斜め上から見た分解斜視図である。
【図５】図５は、同上の照明器具における配光制御板の一部の斜視図である。
【図６】図６は、同上の照明器具における配光制御板の一部の断面図である。
【図７】図７は、同上の照明器具の一部の断面図である。
【図８】図８Ａは、同上の照明器具における配光制御板の光路のシミュレーション結果を示す模式図である。図８Ｂは、同上の照明器具における配光制御板の比較例の光路のシミュレーション結果を示す模式図である。図８Ｃは、同上の照明器具における配光制御板の光路の別のシミュレーション結果を示す模式図である。図８Ｄは、同上の照明器具における配光制御板の比較例の光路の別のシミュレーション結果を示す模式図である。
【発明を実施するための形態】
【０００９】
本発明の一実施形態に係る照明器具について、図面を参照して詳細に説明する。本実施形態の照明器具１は、天井に埋込配設される埋込型の照明器具である。ただし、本発明の実施形態に係る照明器具は埋込型の照明器具に限定されず、例えば、天井に直付けされる直付け型の照明器具などでもかまわない。下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
本実施形態の照明器具１は、図１及び図２に示すように、光源ユニット２と、器具本体１０とを備えている。ただし、以下の説明では、特に断りのない限り、図２に矢印で示す方向において照明器具１の上下、前後及び左右の各方向を規定する。
【００１１】
器具本体１０は、図２に示すように、下面が開口した直方体形状（箱形）の収容部１１と、上面及び下面が開口した四角錐台状（角筒状）の反射部材１２とを有している。収容部１１は、正方形状の底壁１１０と、底壁１１０の４つの辺から下向きに突出する長方形状の４つの側壁１１１とを有している。底壁１１０は、給電用の電源線が挿通される複数の挿通孔１１００を有している。挿通孔１１００に挿通される電源線は、底壁１１０の下面に取り付けられている端子台１３に電気的に接続される。さらに、底壁１１０は、建物の躯体に埋め込まれているつりボルト（不図示）が挿通される複数のボルト挿通孔１１０１を有している。これら複数のボルト挿通孔１１０１は、左右方向に一列に並ぶように底壁１１０に設けられている。収容部１１の底壁１１０及び４つの側壁１１１は、鋼板などの金属板によって一体に形成されることが好ましい。
【００１２】
反射部材１２は、４つの反射板１２０と、各反射板１２０の上端からそれぞれ上向きに突出する４つの固定片１２１と、各反射板１２０の下端から前後方向及び左右方向に突出する枠体１２２とを有している（図２参照）。各反射板１２０は、台形状に形成されている。各固定片１２１は、おおむね台形状に形成されている。各固定片１２１は、収容部１１の４つの側壁１１１のうちの対応する１つの側壁１１１にそれぞれ結合される。枠体１２２は、正方形の枠状に形成され、４つの反射板１２０のそれぞれの下端とつながっている。
【００１３】
光源ユニット２は、図３及び図４に示すように、２つのＬＥＤモジュール３と、取付部材４と、カバー５と、電源ユニット６と、配光制御板２０と、拡散板２８と、２つの取付具８とを備えている。
【００１４】
取付部材４は、正方形の取付板４０と、取付板４０の４つの辺からそれぞれ下向きに突出する４つの側板４１とを有している。ただし、取付板４０と４つの側板４１とは、亜鉛鋼板などの金属板が曲げ加工されて一体に形成されることが好ましい。４つの側板４１はそれぞれ、細長い長方形状に形成されている。
【００１５】
２つのＬＥＤモジュール３はそれぞれ、長方形状の基板３１の表面（下面）に多数のＬＥＤ３０を実装して構成されている。各ＬＥＤ３０は、例えば、白色光を放射する照明用白色ＬＥＤである。これら複数のＬＥＤ３０は、基板３１の表面に格子状に配置され、基板３１の表面に形成されている配線導体（銅はく）を介して互いに電気的に接続されている。また、各基板３１の表面には、配線導体を介して各ＬＥＤ３０と電気的に接続されたレセプタクルコネクタ３２が実装されている。レセプタクルコネクタ３２は、電源ユニット６の出力線に結線されたプラグコネクタと抜き差し可能に接続される。２つのＬＥＤモジュール３は、取付板４０の下面に、左右方向に間隔を空けて並ぶようにして、ねじ止めにより取り付けられる。
【００１６】
電源ユニット６は、プリント配線板６１に電子部品が実装されて構成された電源回路と、この電源回路を収容するケース６０とを有している（図４参照）。電源回路は、入力コネクタ６２、整流器、力率改善回路、降圧型のＤＣ／ＤＣコンバータ、出力コネクタ６３などを備える。入力コネクタ６２は、電線を介して端子台１３と電気的に接続される。電源回路は、入力コネクタ６２から入力する交流電力を直流電力に変換した後、変換後の直流電力を出力コネクタ６３から電線（出力線）を介して出力する。直流電力は、出力線の先端に結線されたプラグコネクタ及びレセプタクルコネクタ３２を介して各ＬＥＤモジュール３の各ＬＥＤ３０に供給される。
【００１７】
プリント配線板６１は、長尺の矩形平板状の絶縁基板の部品面に配線導体（銅はく）が形成されて構成される。プリント配線板の表面に、入力コネクタ６２、出力コネクタ６３、平滑コンデンサ、チョークコイルなどの、いわゆるリード部品が実装される。そして、電源回路を構成している電子部品のうちの表面実装部品がプリント配線板のはんだ面に実装される。ただし、入力コネクタ６２は、プリント配線板６１の長手方向の一端（左端）に実装され、出力コネクタ６３は、プリント配線板６１の長手方向の他端（右端）に実装されている。ケース６０は、図４に示すように、金属製の板材によって長尺の箱状に形成されている。ケース６０は、入力コネクタ６２及び出力コネクタ６３を露出するようにしてプリント配線板６１を内部に収容している。電源ユニット６は、取付板４０の上面における前端に、ケース６０の長手方向を左右方向に一致させるようにして取付板４０にねじ止めされている。
【００１８】
２つの取付具８は同一の構成を有している。各取付具８は、取付ばね８０と、取付ばね８０を取付板４０に取り付けるための取付金具８５とを有している（図４参照）。取付ばね８０は、コイル部８１と、２本の腕部（第１腕部８２及び第２腕部８３）と、引掛片８４とを有するねじりコイルばねで構成されている。取付金具８５は、平板状のベース８５０と、ベース８５０に設けられたブリッジ状の支持部８５１と、ベース８５０に設けられた筒状の引掛部８５２とを有している。支持部８５１は、コイル部８１をその軸まわりに回転可能に支持する。引掛部８５２は、取付ばね８０の引掛片８４が引っ掛けられる（図４参照）。取付金具８５は、取付板４０の上面における前後方向の両端かつ左右方向の中央の位置にねじ止めされる（図４参照）。各取付ばね８０の第１腕部８２は、取付板４０の外に突出している（図３参照）。各取付ばね８０の第２腕部８３は、取付金具８５に引っ掛けられる（図４参照）。
【００１９】
拡散板２８は、アクリル樹脂又はポリカーボネート樹脂などの透光性を有する合成樹脂に拡散剤が混合されて四角形の平板状に形成されている。拡散剤は、例えば、シリコーン樹脂やアクリル樹脂などの透光性を有する合成樹脂の微粒子である。なお、拡散板２８は、拡散剤の混入に代えて、拡散板２８の表面に細かい凹凸の模様が付けられてもかまわない。
【００２０】
配光制御板２０は、板状の本体部２１と、本体部２１の第１面（下面）に設けられる複数のプリズム２２とを有する（図３参照）。本体部２１と複数のプリズム２２とは、透光性を有する合成樹脂（例えば、ポリカーボネート樹脂）によって一体に形成されている。複数のプリズム２２は、本体部２１の下面全体に隙間なく配置されている（図５及び図６参照）。なお、本体部２１の第２面（上面）は滑らかな面（平滑面）である（図４及び図５参照）。
【００２１】
複数のプリズム２２の各々は、四つの第１プリズム平面２２１と、四つの第２プリズム平面２２２とを有する（図５及び図６参照）。四つの第１プリズム平面２２１は、本体部２１の下面から突き出る錐台面（正四角錐台面）を構成する（図５参照）。四つの第２プリズム平面２２２は、第１プリズム平面２２１の先端から突き出る錐体面（正四角錐面）を構成する（図５参照）。なお、本体部２１の下面に対する第１プリズム平面２２１の傾斜角度θ１は、本体部２１の下面に対する第２プリズム平面２２２の傾斜角度θ２よりも小さい（図６参照）。例えば、第１プリズム平面２２１の傾斜角度θ１は約４５度、第２プリズム平面２２２の傾斜角度θ２は約３０度である。ただし、これらの傾斜角度θ１、θ２のそれぞれの値は４５度、３０度に限定されない。
【００２２】
カバー５は、図４に示すように、正方形状の底部５０と、底部５０の周縁から上向きに立ち上がる周壁部５１と、周壁部５１の上端に設けられた４つの取付部５２とを有している。底部５０と周壁部５１と４つの取付部５２は、アクリル樹脂やポリカーボネート樹脂などの透光性を有する合成樹脂材料によって一体に形成されることが好ましい。また、少なくとも底部５０及び周壁部５１は、その表面にシボ加工が施されることによって光を拡散するように構成されることが好ましい。あるいは、少なくとも底部５０及び周壁部５１は、合成樹脂材料に拡散剤が混入されることによって光を拡散するように構成されることが好ましい。各取付部５２は、周壁部５１の上端から底部５０と平行に突出する長方形状の突片５２０と、鉤形に形成されて周壁部５１の上端から上向きに突出する係合片５２１と、周壁部５１の上端から上向きに突出する突起５２２とを有している。
【００２３】
ここで、配光制御板２０及び拡散板２８がカバー５の周壁部５１に取り付けられる。配光制御板２０は、プリズム２２が形成されている本体部２１の下面を底部５０と対向させるように周壁部５１に取り付けられる。拡散板２８は、配光制御板２０の本体部２１の上面と対向し、かつ、本体部２１の上面から所定の距離を空けて周壁部５１に取り付けられる。なお、拡散板２８及び周壁部５１は、接着又は溶着などの適宜の方法で周壁部５１に固定されることが好ましい。
【００２４】
カバー５は、取付部材４の側板４１の内側に周壁部５１を収めるようにして取付部材４に取り付けられる。ここで、取付部材４の取付板４０において、カバー５の４つの取付部５２と対応する位置、すなわち、取付板４０の４つの辺における長手方向の中央に取付部４２が１つずつ設けられている（図３及び図４参照）。各取付部４２は、取付板４０を厚み方向に貫通する取付孔４２０と、取付孔４２０の縁から側板４１に沿うように上向きに突出するかしめ片４２１とを有している。各取付部５２の係合片５２１及び突起５２２は、取付板４０の下から上に向かって、対応する取付孔４２０に挿通される。そして、各かしめ片４２１が内向きにかしめられることにより、係合片５２１がかしめ片４２１に係合する。つまり、カバー５は、側板４１の内側に周壁部５１を収めるようにして取付部材４の取付板４０に取り付けられる（図１参照）。
【００２５】
次に、照明器具１を天井に施工する作業について説明する。施工作業を行う作業者は、まず、底壁１１０の挿通孔１１００に電源線を挿通した後、ボルト挿通孔１１０１に挿通したつりボルトにナットを締め付けることで器具本体１０をつりボルトに取り付ける。また、作業者は、挿通孔１１００から引き込んだ電源線を端子台１３に結線することで器具本体１０を天井に配設する。
【００２６】
続いて、作業者は、後ろ側の固定片１２１に設けられた差込孔１２３及び後ろ側の側壁１１１に設けられた引掛孔１１１１に後ろ側の取付ばね８０の第１腕部８２を差し込む。作業者は、前側の固定片１２１に設けられた差込孔１２３及び前側の側壁１１１に設けられた引掛孔１１１１に前側の取付ばね８０の第１腕部８２を差し込んだ後、光源ユニット２を持ち上げて収容部１１内に収容する。光源ユニット２が収容部１１内に収容されると、各取付ばね８０の第１腕部８２が側壁１１１の引掛孔１１１１の縁に引っ掛かる。その結果、光源ユニット２は、２つの取付ばね８０のばね力によって器具本体１０に支持される。これにより、照明器具１の施工作業が完了する。
【００２７】
電源ユニット６から供給される直流電力によって２つのＬＥＤモジュール３が点灯すると、各ＬＥＤモジュール３から放射される光が拡散板２８の第１面（上面）から拡散板２８に入射する。拡散板２８に入射した光は拡散板２８の拡散剤に拡散されて拡散板２８の第２面（下面）から出射する。拡散板２８で拡散された光は、本体部２１の第１面（上面）から本体部２１に入射する。本体部２１に入射した光は、本体部２１の第２面（下面）に設けられている複数のプリズム２２の第１プリズム平面２２１及び第２プリズム平面２２２と空気の界面で屈折して配光制御板２０から出射する。配光制御板２０から出射する光は、カバー５の底部５０及び周壁部５１を透過して照明空間に照射される。
【００２８】
ここで、本実施形態の照明器具１のように一般照明に用いられる照明器具では、不快グレアを抑制することが求められる。特許文献１記載の従来例では、上面（ＬＥＤチップから放射される光が入射する面）に複数本のプリズムが形成され、上面にＬＥＤチップから出射された光の一部が照射されるプリズム板を備えている。つまり、特許文献１記載の従来例は、ＬＥＤチップから放射されてプリズムに入射する光を屈折させることにより、プリズム板から光が出射する角度を狭めて不快グレアの抑制を図っている。しかしながら、特許文献１記載の従来例では、各プリズムとＬＥＤチップとの位置関係にずれが生じると、不快グレアを抑制する効果も変化してしまう。
【００２９】
これに対して本実施形態の照明器具１は、光の出射面（本体部２１の下面）に複数のプリズム２２が形成された配光制御板２０を備えている。さらに、これら複数のプリズム２２は、本体部２１の出射面（下面）に対する傾斜角度が互いに異なる第１プリズム平面２２１と第２プリズム平面２２２とを有している。本実施形態の照明器具１は、上述のような配光制御板２０を備えているため、プリズム２２とＬＥＤ３０の位置関係に関わらずに不快グレアの抑制を図ることができる。
【００３０】
以下、本実施形態における配光制御板２０を比較例の配光制御板２０Ｘと比較しながら、本実施形態の照明器具１における不快グレア抑制について説明する。なお、比較例の配光制御板２０Ｘでは、複数のプリズム２２Ｘの各々が単一の正四角錐を形成する四つのプリズム平面で形成されている。
【００３１】
照明器具の不快グレアを評価する方法として、輝度制限法がある（日本工業規格JIS C 8106参照）。輝度制限法においては、不快グレアを抑制する程度に応じて、三つの鉛直角（６５度、７５度、８５度）における輝度値の上限値（輝度制限値）が鉛直角毎に規定されている。ここで、本実施形態における配光制御板２０及び比較例の配光制御板２０Ｘに対して、プリズム２２、２２Ｘ側から約７５度の入射角で光が入射した場合のそれぞれの光路Ｌ１、Ｌ２をシミュレーションした結果を図８Ａ及び図８Ｂに示す。ただし、入射角は、本体部２１の第２面（プリズム２２が形成されていない面）を基準とした鉛直角である。
【００３２】
比較例の配光制御板２０Ｘでは、７５度の入射角で入射する光の大半が配光制御板２０Ｘの第２面から配光制御板２０Ｘの外に出射する（図８Ｂ参照）。一方、本実施形態における配光制御板２０では、７５度の入射角で入射する光の大半が本体部２１の第２面で全反射し、プリズム２２が形成されている本体部２１の第１面から配光制御板２０の外に出射する（図８Ａ参照）。なお、７５度の入射角で入射する光の大半を本体部２１の第２面で全反射させるに当たり、本体部２１の第２面は滑らかな面（平滑面）であることが好ましい。
【００３３】
つまり、比較例の配光制御板２０Ｘでは、配光制御板２０Ｘの第２面から入射する光のうち、図８Ｂのシミュレーション結果の光路Ｌ２を逆向きに進行する光が不快グレアを生じさせる。一方、本実施形態における配光制御板２０では、本体部２１の第２面から入射する光のうち、鉛直角（出射角）が７５度の方向に進行する光はほとんど存在しない。したがって、本実施形態における配光制御板２０は、比較例の配光制御板２０Ｘと比べても、不快グレアの抑制を図ることができる。
【００３４】
また、配光制御板２０及び比較例の配光制御板２０Ｘに対して、プリズム２２、２２Ｘと反対側（本体部２１の第２面）から約７５度の入射角で光が入射した場合のそれぞれの光路Ｌ３、Ｌ４をシミュレーションした結果を図８Ｃ及び図８Ｄに示す。本実施形態における配光制御板２０の光路Ｌ３及び比較例の配光制御板２０Ｘの光路Ｌ４の各々の出射角は、輝度制限法において輝度制限値が規定されている最小の鉛直角（６５度）よりも小さい角度（約３８度）である。つまり、本実施形態における配光制御板２０は、ＬＥＤ３０から放射された光のうち、不快グレアを生じさせる角度で入射する光の配光を制御して不快グレアの抑制を図ることができる。
【００３５】
さらに、照明器具１は、ＬＥＤ３０から放射される光を拡散板２８で拡散させて配光制御板２０に入射させている。照明器具１は、ＬＥＤ３０から放射される光を拡散板２８で拡散させることにより、カバー５の底部５０における輝度むらの抑制を図ることができる。
【００３６】
ところで、本体部２１の第２面で全反射を起こさせるには、配光制御板２０の本体部２１の第２面と接する媒質の屈折率が本体部２１を形成する材料の屈折率よりも小さくなければならない。そのため、本実施形態の照明器具１においては、拡散板２８の第２面と配光制御板２０の第２面との間に、本体部２１の屈折率よりも屈折率の小さい物質が存在する。本体部２１を形成するポリカーボネート樹脂の屈折率が約１．５９であるから、本体部２１の屈折率よりも屈折率の小さい物質として、屈折率が約１．００である空気が好ましい。
【００３７】
また、本体部２１の第２面で全反射を起こさせるには、本体部２１の第２面が滑らかな面（平滑面）であることが好ましい。本実施形態の照明器具１は、本体部２１の第２面を滑らかな面（平滑面）とすることにより、不快グレアの更なる抑制を図ることができる。
【００３８】
ここで、本実施形態における配光制御板２０のプリズム２２は、第１プリズム平面２２１の傾斜角度θ１を第２プリズム平面２２２の傾斜角度θ２よりも大きくするように形成されている。これにより、本実施形態の照明器具１は、第１プリズム平面２２１の傾斜角度θ１を第２プリズム平面２２２の傾斜角度θ２より小さくする場合に比べて、プリズム２２の機械的な強度の向上を図ることができる。
【００３９】
なお、プリズム２２の形状は四角錐台面と正四角錐面の組合せに限定されない。例えば、プリズム２２は、四角錐台面と二つ以上の正四角錐面を組み合わせた形状に形成されてもかまわない。あるいは、プリズム２２は、三角錐台面と三角錐面を組み合わせた形状や、五角形以上の角錐台面と一つ以上の角錐面を組み合わせた形状に形成されてもかまわない。また、カバー５の底部５０の下面に複数のプリズムが形成されてもよい。すなわち、カバー５の底部５０と配光制御板が一体に形成されてもかまわない。
【００４０】
上述のように本発明の第１の態様に係る照明器具（１）は、基板（３１）及び基板（３１）の表面に実装される複数のＬＥＤ（３０）を有するＬＥＤモジュール（３）と、複数のＬＥＤ（３０）から放射される光の配光を制御する配光制御板（２０）とを備える。配光制御板（２０）は、板状の本体部（２１）と、本体部（２１）の第１面に設けられる複数のプリズム（２２）とを有する。複数のプリズム（２２）の各々は、第１プリズム平面（２２１）及び第２プリズム平面（２２２）を含む複数のプリズム平面を有する。第１プリズム平面（２２１）は、本体部（２１）の第１面から突き出る錐台面を構成する。第２プリズム平面（２２２）は、第１プリズム平面（２２１）の先端から突き出る錐台面又は錐体面を構成する。本体部（２１）の第１面に対する第１プリズム平面（２２１）の傾斜角度（θ１）は、本体部（２１）の第１面に対する第２プリズム平面（２２２）の傾斜角度（θ２）と異なる。本体部（２１）の第１面と反対側の本体部（２１）の第２面は、複数のＬＥＤ（３０）と対向する。
【００４１】
第１の態様に係る照明器具（１）は、配光制御板（２０）が有する複数のプリズム（２２）と複数のＬＥＤ（３０）の位置関係に関わらずに不快グレアの抑制を図ることができる。
【００４２】
本発明の第２の態様に係る照明器具（１）は、第１の態様との組合せにより実現され得る。第２の態様に係る照明器具（１）において、本体部（２１）の第２面は、滑らかな面であることが好ましい。
【００４３】
第２の態様に係る照明器具（１）は、本体部（２１）の第２面が滑らかな面であるため、不快グレアの更なる抑制を図ることができる。
【００４４】
本発明の第３の態様に係る照明器具（１）は、第１又は第２の態様との組合せにより実現され得る。第３の態様に係る照明器具（１）において、基板（３１）の表面と対向する第１面に複数のＬＥＤ（３０）から放射される光が入射し、第１面から入射する光を拡散させて第１面と反対側の第２面から出射させる拡散板（２８）を備えることが好ましい。配光制御板（２０）の第２面は拡散板（２８）の第２面と対向することが好ましい。
【００４５】
第３の態様に係る照明器具（１）は、輝度むらの抑制を図ることができる。
【００４６】
本発明の第４の態様に係る照明器具（１）は、第３の態様との組合せにより実現され得る。第４の態様に係る照明器具（１）において、拡散板（２８）の第２面と配光制御板（２０）の第２面との間に、本体部（２１）の屈折率よりも屈折率の小さい物質が存在することが好ましい。
【００４７】
第４の態様に係る照明器具（１）は、不快グレアの更なる抑制を図ることができる。
【００４８】
本発明の第５の態様に係る照明器具（１）は、第４の態様との組合せにより実現され得る。第５の態様に係る照明器具（１）は、屈折率の小さい物質は空気であることが好ましい。
【００４９】
第５の態様に係る照明器具（１）は、拡散板（２８）の第２面と配光制御板（２０）の第２面との間に空気を存在させるので、部品点数を増やさずに不快グレアの更なる抑制を図ることができる。
【００５０】
本発明の第６の態様に係る照明器具（１）は、第１〜第５の態様のいずれか一つとの組合せにより実現され得る。第６の態様に係る照明器具（１）において、第１プリズム平面（２２１）の傾斜角度（θ１）は、第２プリズム平面（２２２）の傾斜角度（θ２）よりも大きいことが好ましい。
【００５１】
第６の態様に係る照明器具（１）は、第１プリズム平面（２２１）の傾斜角度（θ１）を第２プリズム平面（２２２）の傾斜角度（θ２）より小さくする場合に比べて、プリズム（２２）の機械的な強度の向上を図ることができる。
【符号の説明】
【００５２】
１  照明器具
３  ＬＥＤモジュール
２０  配光制御板
２１  本体部
２２  プリズム
２８  拡散板
３０  ＬＥＤ
３１  基板
２２１  第１プリズム平面
２２２  第２プリズム平面
θ１  第１プリズム平面の傾斜角度
θ２  第２プリズム平面の傾斜角度
【図１】
2019160520.tif 000003
【図２】
2019160520.tif 000004
【図３】
2019160520.tif 000005
【図４】
2019160520.tif 000006
【図５】
2019160520.tif 000007
【図６】
2019160520.tif 000008
【図７】
2019160520.tif 000009
【図８】
2019160520.tif 000010